(57)【特許請求の範囲】
【請求項１】
ＶＨＦ帯及びＵＨＦ帯のテレビジョン信号が入力される入力端と、前記ＶＨＦ帯のテレビジョン信号を増幅するＶＨＦ高周波増幅器と、前記ＵＨＦ帯のテレビジョン信号を増幅するＵＨＦ高周波増幅器と、前記ＵＨＦ高周波増幅器の入力端に一端が接続されると共に、前記ＵＨＦ帯の低域に同調するピーキングコイルとを備え、前記ＶＨＦ高周波増幅器の入力端とグランドとの間に第一のスイッチ手段を設けると共に、前記ピーキングコイルの他端とグランドとの間に第二のスイッチ手段を設け、前記第一及び第二のスイッチ手段を前記ＶＨＦ帯のテレビジョン信号の受信時にはオフにし、前記ＵＨＦ帯のテレビジョン信号の受信時にはオンにしたことを特徴とするテレビジョンチューナ。
【請求項２】
前記第一及び第二のスイッチ手段を一個のスイッチトランジスタで構成し、前記スイッチトランジスタのコレクタ又はエミッタのいずれか一方を前記ＶＨＦ高周波増幅器の入力端に接続すると共に、他方を接地し、ベースを前記ピーキングコイルの他端に接続し、前記ＶＨＦ帯のテレビジョン信号の受信時には前記スイッチトランジスタをオフにし、前記ＵＨＦ帯のテレビジョン信号の受信時にはオンにしたことを特徴とする請求項１に記載のテレビジョンチューナ。
【請求項３】
前記スイッチトランジスタをＮＰＮ型のトランジスタとしてそのコレクタを前記ＶＨＦ高周波増幅器の入力端に接続すると共にエミッタを接地し、前記ＶＨＦ帯のテレビジョン信号の受信時にローレベルとなり前記ＵＨＦ帯のテレビジョン信号の受信時にハイレベルとなる切替電圧を前記スイッチトランジスタのベースに印加したことを特徴とする請求項２に記載のテレビジョンチューナ。
【請求項４】
前記ＶＨＦ高周波増幅器の増幅素子にはゲートが前記入力端となるＦＥＴを用い、前記ゲートには前記ＶＨＦ帯のテレビジョン信号の受信時と前記ＵＨＦ帯のテレビジョン信号の受信時とにおいてバイアス電圧を印加したことを特徴とする請求項３に記載のテレビジョンチューナ。
【請求項５】
前記ピーキングコイルの他端と前記スイッチトランジスタのベースとの間に抵抗と直流カットコンデンサ値の並列回路を介挿し、前記ピーキングコイルと前記抵抗との接続点又は前記ベースに前記切替電圧を印加したことを特徴とする請求項４に記載のテレビジョンチューナ。
【発明の詳細な説明】
【０００１】
【発明の属する技術分野】
本発明は、ＶＨＦ帯のテレビジョン信号又はＵＨＦ帯のテレビジョン信号を受信するテレビジョンチューナに関する。
【０００２】
【従来の技術】
図３は従来のテレビジョンチューナの回路構成を示す。入力端３１にはＶＨＦ帯及びＵＨＦ帯のテレビジョン信号が入力される。ＶＨＦ帯における所望のチャンネルはＶＨＦ入力同調回路３２によって選択される。ＶＨＦ入力同調回路３２はバンド切替端子３３に印加される切替電圧によってハイバンドのチャンネルを選択するように切り替えられ、バンド切替端子３４に印加される切替電圧によってハイバンドのチャンネルを選択するように切り替えられる。そして、同調電圧端子３５に供給される制御電圧によって所望のチャンネルのテレビジョン信号周波数に同調する。
また、切替電圧はＶＨＦ高周波増幅器３６に使用されるＦＥＴ（電解効果トランジスタ）３６ａのゲートにバイアス電圧として印加される。
【０００３】
ＶＨＦ入力同調回路３２によって選択されたチャンネルのテレビジョン信号はＶＨＦ高周波増幅器３６によって増幅され、ＶＨＦ段間同調回路３７を経由して次段の混合器（図示せず）に入力される。
ＶＨＦ段間同調回路３７もバンド切替端子３３、３４に印加される切替電圧によってローバンド又はハイバンドのチャンネルを選択するように切り替えられると共に、同調電圧端子３５に供給される電圧によって所望のチャンネルのテレビジョン信号の周波数に同調するる。
【０００４】
一方、ＵＨＦ入力同調回路３８は同調電圧端子３５に供給される電圧によって所望のチャンネルのテレビジョン信号の周波数に同調する。
ＵＨＦ入力同調回路３８によって選択されたチャンネルのテレビジョン信号はＵＨＦ高周波増幅器３９によって増幅される。ＵＨＦ高周波増幅器３９の入力端にはＵＨＦ高周波増幅器３９に使用されるＦＥＴ３９ａの内部容量（図示せず）と並列共振回路を構成するピーキングコイル３９ａが設けられ、その共振周波数はＵＨＦ帯の低域に合わせられており、低域でのＦＥＴ３９ｂの利得低下を補う。
【０００５】
また、バンド切替端子４０にはＵＨＦ帯のチャンネルの受信時に切替電圧が印加され、この電圧はピーキングコイル３９ａを介してＦＥＴ３９ｂのゲートにバイアス電圧として印加される。
増幅されたＵＨＦ帯のテレビジョン信号はＵＨＦ段間同調回路４１を経由して次段の混合器（図示せず）に入力される。
ＵＨＦ段間同調回路４１も同調電圧端子３５に供給される電圧によって所望のチャンネルのテレビジョン信号の周波数に同調する。
【０００６】
【発明が解決しようとする課題】
上記の構成においては、次の問題点がある。先ず、ＶＨＦ帯のチャンネルを受信するときはバンド切替端子４０には切替電圧が印加されないのでＦＥＴ３９ａは増幅作用が無くなるが、ピーキングコイルと内部容量とによる並列共振回路は機能する。そして、この並列共振回路がＵＨＦ入力同調回路３８を介してＶＨＦ入力同調回路３２に結合しているので、ＶＨＦ入力同調回路の特性が本来の統制からずれてＶＨＦ帯の高域が盛り上がってしまい、特にハイバンドのチャンネルを受信する際にイメージ妨害を受ける。
【０００７】
また、ＵＨＦ帯のチャンネルを受信する際には、バンド切替端子３、３４には切替電圧が印加されないのでＦＥＴ３６ａは増幅作用が無くなるが、入力端３１に高いレベルのＶＨＦ帯のテレビジョン信号が入力されると、それがＦＥＴ３６ａのゲートに至りＦＥＴ３６ａで歪みを起こす。そして、ＵＨＦ帯に不要な信号を発生する。これがＵＨＦ高周波増幅器３９等に飛び込むのでＵＨＦ帯のチャンネル受信時の妨害が発生する。
【０００８】
さらに、ＶＨＦ帯のチャンネルを受信するときには切替端子３４又は３５から切替電圧をＦＥＴ３６ａのゲートに印加する必要があることから、その接続のための配線が煩雑となる。
【０００９】
そこで、本発明のテレビジョンチューナは、ＶＨＦ帯のチャンネルを受信する際のイメージ妨害をなくすと共に、ＵＨＦ帯のチャンネルを受信する際のＶＨＦ高周波増幅の歪み発生による妨害をなくすことを目的とする。
また、ＶＨＦ高周波増幅器のＦＥＴのゲートにバイアス電圧を印加するための配線を簡素化する。
【００１０】
【課題を解決するための手段】
本発明は、上記の課題を解決するため、ＶＨＦ帯及びＵＨＦ帯のテレビジョン信号が入力される入力端と、前記ＶＨＦ帯のテレビジョン信号を増幅するＶＨＦ高周波増幅器と、前記ＵＨＦ帯のテレビジョン信号を増幅するＵＨＦ高周波増幅器と、前記ＵＨＦ高周波増幅器の入力端に一端が接続されると共に、前記ＵＨＦ帯の低域に同調するピーキングコイルとを備え、前記ＶＨＦ高周波増幅器の入力端とグランドとの間に第一のスイッチ手段を設けると共に、前記ピーキングコイルの他端とグランドとの間に第二のスイッチ手段を設け、前記第一及び第二のスイッチ手段を前記ＶＨＦ帯のテレビジョン信号の受信時にはオフにし、前記ＵＨＦ帯のテレビジョン信号の受信時にはオンにした。
【００１１】
また、前記第一及び第二のスイッチ手段を一個のスイッチトランジスタで構成し、前記スイッチトランジスタのコレクタ又はエミッタのいずれか一方を前記ＶＨＦ高周波増幅器の入力端に接続すると共に、他方を接地し、ベースを前記ピーキングコイルの他端に接続し、前記ＶＨＦ帯のテレビジョン信号の受信時には前記スイッチトランジスタをオフにし、前記ＵＨＦ帯のテレビジョン信号の受信時にはオンにした。
【００１２】
また、前記スイッチトランジスタをＮＰＮ型のトランジスタとしてそのコレクタを前記ＶＨＦ高周波増幅器の入力端に接続すると共にエミッタを接地し、前記ＶＨＦ帯のテレビジョン信号の受信時にローレベルとなり前記ＵＨＦ帯のテレビジョン信号の受信時にハイレベルとなる切替電圧を前記スイッチトランジスタのベースに印加した。
【００１３】
また、前記ＶＨＦ高周波増幅器の増幅素子にはゲートが前記入力端となるＦＥＴを用い、前記ゲートには前記ＶＨＦ帯のテレビジョン信号の受信時と前記ＵＨＦ帯のテレビジョン信号の受信時とにおいてバイアス電圧を印加した。
【００１４】
また、前記ピーキングコイルの他端と前記スイッチトランジスタのベースとの間に抵抗と直流カットコンデンサ値の並列回路を介挿し、前記ピーキングコイルと前記抵抗との接続点又は前記ベースに前記切替電圧を印加した。
【００１５】
【発明の実施の形態】
以下、本発明のテレビジョンチューナを図１及び図２によって説明する。
先ず図１において、入力端１にはＶＨＦ帯及びＵＨＦ帯のテレビジョン信号が入力される。ＶＨＦ帯の所望のチャンネルはＶＨＦ入力同調回路２によって選択される。ＶＨＦ入力同調回路２はバンド切替型の同調回路であり、バンド切替端子３、４に印加される切替電圧によってハイバンドのチャンネル又はローバンドのチャンネルを選択するように切り替えられる。例えば、切替端子３にはローバンドのチャンネルを受信する際はハイレベルとなり、ハイバンドのチャンネルを受信する際にはローレベルとなる切替電圧Ｖｌが印加される。また、切替端子４にはローバンドのチャンネルを受信する際はローレベルとなり、ハイバンドのチャンネルを受信する際にはハイレベルとなる切替電圧Ｖｈが印加される。そして、ＶＨＦ入力同調回路２は同調電圧端子５に供給される制御電圧Ｖｔによって所望のチャンネルのテレビジョン信号の周波数に同調する。
【００１６】
ＶＨＦ入力同調回路２によって選択されたＶＨＦ帯のチャンネルのテレビジョン信号はＶＨＦ高周波増幅器６の増幅素子であるＦＥＴ（電解効果トランジスタ）６ａの（第一）ゲートに入力される。ＦＥＴ６ａのゲートには電源端子７に印加されている電圧Ｖｂが常時バイアス電圧として供給される。また、ゲートはＮＰＮ型のスイッチトランジスタ８のコレクタに接続され、そのエミッタは接地される。そして、増幅されたテレビジョン信号はＶＨＦ段間同調回路９によって選択され、次段に設けられた混合器（図示せず）に入力される。
【００１７】
ＶＨＦ段間同調回路９もバンド切替型の同調回路であり、切替電圧Ｖｌ、Ｖｈによってローバンド又はハイバンドのチャンネルを選択するように切り替えられると共に、制御電圧Ｖｔによって所望のチャンネルのテレビジョン信号の周波数に同調する。また、切替電圧Ｖｌ、ＶｈはＶＨＦ段間同調回路９を介しててＦＥＴ６ａのドレインに供給される。
【００１８】
一方、ＵＨＦ入力同調回路１０は同調電圧端子５に供給される制御電圧ＶｔによってＵＨＦ帯の所望のチャンネルのテレビジョン信号の周波数に同調する。
ＵＨＦ入力同調回路１０によって選択されたチャンネルのテレビジョン信号はＵＨＦ高周波増幅器１１によって増幅される。ＵＨＦ高周波増幅器１１は増幅素子としてＦＥＴ１１ａを有し、その入力端である（第一）ゲートには切替端子１２に印加される切替電圧Ｖｕがピーキングコイル１１ｂを介してバイアス電圧として供給される。切替電圧ＶｕはＵＨＦ帯のチャンネルを受信するときにハイレベルとなり、ＶＨＦ帯のチャンネルを受信するときにローレベルとなる。
【００１９】
ピーキングコイル１１ｂの一端はＦＥＴ１１ａのゲートに接続され、その内部入力容量１１ｃ（図２参照）と共に並列共振回路を構成し、その共振周波数はＵＨＦ帯の低域に合わせられ、低域でのＦＥＴ１１ａの利得低下を補う。
そして、ピーキングコイル１１ｂの他端とスイッチトランジスタ８のベースとの間には抵抗１３と高周波的に低インピーダンスとなる直流阻止コンデンサ１４の並列回路が接続され、切替電圧Ｖｕは抵抗１３とピーキングコイル１１ｂとの接続点に供給される。なお、切替電圧Ｖｕをベースに直接供給してもよい。
【００２０】
増幅されたＵＨＦ帯のテレビジョン信号はＵＨＦ段間同調回路１５を経由して次段に設けられた混合器（図示せず）に入力される。
ＵＨＦ段間同調回路１５は同調電圧端子５に印加される制御電圧ＶｔによってＵＨＦ帯の所望のチャンネルのテレビジョン信号の周波数に同調する。
【００２１】
以上の構成において、スイッチトランジスタ８は切替電圧Ｖｕによってオンまたはオフとなるので、コレクタとエミッタとの間、及び、ベースとエミッタとの間は、互いに連動する第一のスイッチ手段８ａ、第二のスイッチ手段８ｂとしてそれぞれ機能する。従って、図１の回路は等価的に図２のように示される。
そして、ＶＨＦ帯のチャンネルを受信する際（ローバンド、ハイバンドのいずれも）は、スイッチトランジスタ８はオフとなり、ＶＨＦ帯のテレビジョン信号はＶＨＦ入力同調回路２からＶＨＦ高周波増幅器６に入力される。
このとき、ピーキングコイル１１ｂの他端はグランドから浮いているので、内部入力容量１１ｃとの間で並列共振回路を構成しない。従って、ＶＨＦ帯のチャンネルを受信する際のＶＨＦ入力同調回路２の同調特性が並列共振回路によって影響を受けず、イメージ妨害を受けない。
【００２２】
また、ＵＨＦ帯のチャンネルを受信する際は、切替電圧Ｖｕによってスイッチトランジスタ８がオンとなるので、ピーキングコイル１１ｂと内部入力容量１１ｃとによって並列共振回路を構成する。このときＶＨＦ高周波増幅器６におけるＦＥＴ６ａのゲートはスイッチトランジスタ８によってシャントされる。従って、ＦＥＴ６ａのゲートにはＶＨＦ帯のテレビジョン信号は入力されないので、ＦＥＴ６ａで高調波歪みを発生しない。
【００２３】
なお、スイッチトランジスタ８をＰＮＰ型のトランジスタに置換してもよいが、その場合にはエミッタをＦＥＴ６ａのゲートに接続してコレクタを接地する。そして、切替電圧ＶｕはＶＨＦ帯のチャンネルを受信するときにハイレベルとし、ＵＨＦ帯のチャンネルを受信するときにローレベルとすればよい。
【００２４】
【発明の効果】
以上のように、ＶＨＦ高周波増幅器の入力端とグランドとの間に第一のスイッチ手段を設けると共に、ピーキングコイルの他端とグランドとの間に第二のスイッチ手段を設け、第一及び第二のスイッチ手段をＶＨＦ帯のテレビジョン信号の受信時にはオフにし、ＵＨＦ帯のテレビジョン信号の受信時にはオンにしたので、ＶＨＦ帯のチャンネルを受信する際（ローバンド、ハイバンドのいずれも）は、ＶＨＦ帯のテレビジョン信号はＶＨＦ入力同調回路からＶＨＦ高周波増幅器に入力される。このとき、ピーキングコイルの他端はグランドから浮いているので、内部入力容量との間で並列共振回路を構成しない。従って、ＶＨＦ帯のチャンネルを受信する際のＶＨＦ入力同調回路の同調特性が並列共振回路によって影響を受けず、イメージ妨害を受けない。
また、ＵＨＦ帯のチャンネル受信するときはピーキングコイルの他端が接地されて内部入力容量と共に並列共振回路を構成する。このとＶＨＦ高周波増幅器の入力端はシャントされるので、ＶＨＦ帯のテレビジョン信号が入力されず高調波歪みを発生しない。
【００２５】
また、第一及び第二のスイッチ手段を一個のスイッチトランジスタで構成し、スイッチトランジスタのコレクタ又はエミッタのいずれか一方をＶＨＦ高周波増幅器の入力端に接続すると共に、他方を接地し、ベースをピーキングコイルの他端に接続し、ＶＨＦ帯のテレビジョン信号の受信時にはスイッチトランジスタをオフにし、ＵＨＦ帯のテレビジョン信号の受信時にはオンにしたので、回路が簡単となる。
【００２６】
また、スイッチトランジスタをＮＰＮ型のトランジスタとしてＶＨＦ高周波増幅器の入力端をコレクタに接続すると共にエミッタを接地し、ＶＨＦ帯のテレビジョン信号の受信時にローレベルとなりＵＨＦ帯のテレビジョン信号の受信時にハイレベルとなる切替電圧をスイッチトランジスタのベースに印加したので、ＶＨＦ帯のテレビジョン信号を受信する際にスイッチトランジスタをオフとし、ＵＨＦ帯のテレビジョン信号を受信する際にオンとすることが簡単となる。
【００２７】
また、ＶＨＦ高周波増幅器の増幅素子にはゲートが入力端となるＦＥＴを用い、ゲートにはＶＨＦ帯のテレビジョン信号の受信時とＵＨＦ帯のテレビジョン信号の受信時とにおいてバイアス電圧を印加したので、その電圧がスイッチトランジスタのコレクタに印加されており、スイッチトランジスタを確実にオン又はオフとすることができる。
【００２８】
また、ピーキングコイルの他端とスイッチトランジスタのベースとの間に抵抗と直流カットコンデンサ値の並列回路を介挿し、ピーキングコイルと抵抗との接続点又はベースに切替電圧を印加したので、スイッチトランジスタのオン、オフ動作とピーキングコイルによる並列共振回路の構成とが同時に可能となる。
【図面の簡単な説明】
【図１】本発明のテレビジョンチューナの構成を示す回路図である。
【図２】本発明のテレビジョンチューナの等価回路図である。
【図３】従来のテレビジョンチューナの構成を示す回路図である。
【符号の説明】
１  入力端
２  ＶＨＦ入力同調回路
３、４、１２  切替端子
５  同調端子
６  ＶＨＦ高周波増幅器
６ａ  ＦＥＴ
７  電源端子
８  スイッチトランジスタ
９  ＶＨＦ段間同調回路
１０  ＵＨＦ入力同調回路
１１  ＵＨＦ高周波増幅器
１３  抵抗
１４  直流カットコンデンサ
１５  ＵＨＦ段間同調回路
【図１】
0003710362.tif 000002
【図２】
0003710362.tif 000003
【図３】
0003710362.tif 000004